(57)【要約】【課題】  この発明は、顧客の足形状に適した足袋または足袋の型紙を自動的に選択することができる足袋または足袋の型紙の自動選択装置を提供することを目的とする。【解決手段】  顧客の足形状に関する計測データに基づいて、顧客の足形状に適した足袋または足袋の型紙を自動的に選択する、足袋または足袋の型紙の自動選択装置において、足袋の各型紙が、複数種類の要素の組合せによって分類されており、足袋の型紙の分類を識別するための標準データが記憶されている記憶手段、および顧客の足形状に関する計測データと、記憶手段に記憶されている標準データとに基づいて、顧客の足形状に適した足袋または足袋の型紙を特定するための要素を選択する選択手段を備えている。【選択図】  図３
2006178681.tif 000002
【特許請求の範囲】
【請求項１】
顧客の足形状に関する計測データに基づいて、顧客の足形状に適した足袋または足袋の型紙を自動的に選択する、足袋または足袋の型紙の自動選択装置において、
足袋の各型紙が、複数種類の要素の組合せによって分類されており、
足袋の型紙の分類を識別するための標準データが記憶されている記憶手段、および
顧客の足形状に関する計測データと、記憶手段に記憶されている標準データとに基づいて、顧客の足形状に適した足袋または足袋の型紙を特定するための要素を選択する選択手段、
を備えていることを特徴とする足袋または足袋の型紙の自動選択装置。
【請求項２】
足袋の各型紙が、複数種類の基準足長サイズと複数種類の足形状に応じたタイプとの組合せによって分類されており、
顧客の足形状に関する計測データが顧客の「足長」、「甲回り」および「張り回り」の計測データであり、
足袋の型紙の分類を識別するための標準データが、複数種類の基準足長サイズに対応する足長サイズ識別用標準データと、各足長サイズ識別用標準データ毎に用意されたタイプ識別用標準データとからなり、各足長サイズ識別用標準データ毎に用意されたタイプ識別用標準データは、その足長サイズ識別用標準データに対応する「甲回り」についての各タイプ別の標準データおよびその足長サイズ識別用標準データに対応する「張り回り」についての各タイプ別の標準データからなり、
選択手段は、顧客の足形状に関する計測データと、記憶手段に記憶されている標準データとに基づいて、顧客の足形状に適した基準足長サイズとタイプとを選択するものであることを特徴とする請求項１に記載の足袋または足袋の型紙の自動選択装置。
【請求項３】
選択手段は、
「足長」の計測データと足長サイズ識別用標準データとに基づいて、「足長」の計測データに応じた足長サイズ識別用標準データを選択し、選択した足長サイズ識別用標準データを第１の足長サイズ識別用標準データとする第１手段、
第１の足長サイズ識別用標準データに対応する「甲回り」についての各タイプ別のタイプ識別用標準データと「甲回り」の計測データとに基づいて、「甲回り」の計測データが、上記「甲回り」についての各タイプ別のタイプ識別用標準データの許容範囲のうちの、いずれかの許容範囲に入っていることという第１条件を満たしているか否かを判別するとともに、第１条件を満たしている場合には、「甲回り」の計測データが許容範囲に入っているタイプを特定する第２手段、
第２手段によって第１条件を満たしていると判別された場合には、「甲回り」の計測データが「張り回り」の計測データ以上であるか否かを判別する第３手段、
第３手段によって、「甲回り」の計測データが「張り回り」の計測データ以上であると判別された場合には、第１の足長サイズ識別用標準データに対応する基準足長サイズと、第２手段によって特定されたタイプとを顧客の足形状に適した基準足長サイズおよびタイプとして選択する第４手段、
第３手段によって、「甲回り」の計測データが「張り回り」の計測データより小さいと判別された場合には、第１の足長サイズ識別用標準データに対応する「張り回り」についての各タイプ別のタイプ識別用標準データと「張り回り」の計測データとに基づいて、「張り回り」の計測データが、上記「張り回り」についての各タイプ別のタイプ識別用標準データの許容範囲のうちの、いずれかの許容範囲に入っていることという第２条件を満たしているか否かを判別するとともに、第２条件を満たしている場合には、「張り回り」の計測データが許容範囲に入っているタイプを特定する第５手段、
第５手段によって第２条件を満たしていると判別された場合には、第１の足長サイズ識別用標準データに対応する基準足長サイズと、第５手段によって特定されたタイプとを顧客の足形状に適した基準足長サイズおよびタイプとして選択する第６手段、
第２手段によって第１条件を満たしていないと判別された場合または第５手段によって第２条件を満たしていないと判別された場合には、既に再選択プロセスが行われたか否かを判別する第７手段、
第７手段において既に再選択プロセスが行われていないと判別された場合には、第１の足長サイズ識別用標準データを１段階だけ大きな足長サイズ識別用標準データに更新した後、上記第２手段から上記第７手段までの処理を再度実行させるといった再選択プロセスを実行させる第８手段、ならびに
第８手段において既に再選択プロセスが行われていると判別された場合には、顧客の足形状に適した足袋または足袋の紙型が存在しないと決定する第９手段、
を備えていることを特徴する請求項２に記載の足袋または足袋の型紙の自動選択装置。    
【請求項４】
足袋の各型紙が、複数種類の基準足長サイズと複数種類のタイプとの組合せによって分類されており、
顧客の足形状に関する計測データが顧客の「足長」、「甲回り」、「張り回り」および「足首回り」の計測データであり、
足袋の型紙の分類を識別するための標準データが、複数種類の基準足長サイズに対応する足長サイズ識別用標準データと、各足長サイズ識別用標準データ毎に用意されたタイプ識別用標準データとからなり、各足長サイズ識別用標準データ毎に用意されたタイプ識別用標準データは、その足長サイズ識別用標準データに対応する「甲回り」についての各タイプ別の標準データ、その足長サイズ識別用標準データに対応する「張り回り」についての各タイプ別の標準データおよびその足長サイズ識別用標準データに対応する「足首回り」についての各タイプ別の標準データからなり、
選択手段は、顧客の足形状に関する計測データと、記憶手段に記憶されている標準データとに基づいて、顧客の足形状に適した基準足長サイズとタイプとを選択するものであることを特徴とする請求項１に記載の足袋または足袋の型紙の自動選択装置。
【請求項５】
選択手段は、
「足長」の計測データと足長サイズ識別用標準データとに基づいて、「足長」の計測データに応じた足長サイズ識別用標準データを選択し、選択した足長サイズ識別用標準データを第１の足長サイズ識別用標準データとする第１手段、
第１の足長サイズ識別用標準データに対応する「甲回り」についての各タイプ別のタイプ識別用標準データと「甲回り」の計測データとに基づいて、「甲回り」の計測データが、上記「甲回り」についての各タイプ別のタイプ識別用標準データの許容範囲のうちの、いずれかの許容範囲に入っていることという第１条件を満たしているか否かを判別するとともに、第１条件を満たしている場合には、「甲回り」の計測データが許容範囲に入っているタイプを特定する第２手段、
第２手段によって第１条件を満たしていると判別された場合には、「甲回り」の計測データが「張り回り」の計測データ以上であるか否かを判別する第３手段、
第３手段によって、「甲回り」の計測データが「張り回り」の計測データ以上であると判別された場合には、第１の足長サイズ識別用標準データと第２手段によって特定されたタイプとに対応する「足首回り」についての各タイプ別のタイプ識別用標準データと、「足首回り」の計測データとに基づいて、「足首回り」の計測データが、上記「足首回り」についての各タイプ別のタイプ識別用標準データの許容範囲のうちの、いずれかの許容範囲に入っていることという第２条件を満たしているか否かを判別する第４手段、
第４手段によって第２条件を満たしていると判別された場合には、第１の足長サイズ識別用標準データに対応する基準足長サイズと、第２手段によって特定されたタイプとを顧客の足形状に適した基準足長サイズおよびタイプとして選択する第５手段、
第３手段によって、「甲回り」の計測データが「張り回り」の計測データより小さいと判別された場合には、第１の足長サイズ識別用標準データに対応する「張り回り」についての各タイプ別のタイプ識別用標準データと「張り回り」の計測データとに基づいて、「張り回り」の計測データが、上記「張り回り」についての各タイプ別のタイプ識別用標準データの許容範囲のうちの、いずれかの許容範囲に入っていることという第３条件を満たしているか否かを判別するとともに、第３条件を満たしている場合には、「張り回り」の計測データが許容範囲に入っているタイプを特定する第６手段、
第６手段によって第３条件を満たしていると判別された場合には、第１の足長サイズ識別用標準データと第６手段によって特定されたタイプとに対応する「足首回り」についての各タイプ別のタイプ識別用標準データと、「足首回り」の計測データとに基づいて、「足首回り」の計測データが、上記「足首回り」についての各タイプ別のタイプ識別用標準データの許容範囲のうちの、いずれかの許容範囲に入っていることという第４条件を満たしているか否かを判別する第７手段、
第７手段によって第４条件を満たしていると判別された場合には、第１の足長サイズ識別用標準データに対応する基準足長サイズと、第７手段によって特定されたタイプとを顧客の足形状に適した基準足長サイズおよびタイプとして選択する第８手段、
第２手段によって第１条件を満たしていないと判別された場合、第４手段によって第２２件を満たしていないと判別された場合、第６手段によって第３条件を満たしていないと判別された場合または第７手段によって第４条件を満たしていないと判別された場合には、既に再選択プロセスが行われたか否かを判別する第９手段、
第９手段において既に再選択プロセスが行われていないと判別された場合には、第１の足長サイズ識別用標準データを１段階だけ大きな足長サイズ識別用標準データに更新した後、上記第２手段から上記第９手段までの処理を再度実行させるといった再選択プロセスを実行させる第１０手段、ならびに
第９手段において既に再選択プロセスが行われていると判別された場合には、顧客の足形状に適した足袋または足袋の紙型が存在しないと決定する第１１手段、
を備えていることを特徴する請求項４に記載の足袋または足袋の型紙の自動選択装置。    
【請求項６】
顧客の足形状に関する計測データが、三次元形状計測装置によって得られることを特徴とする請求項１、２、３、４および５のいずれかに記載の足袋または足袋の型紙の自動選択装置。
【発明の詳細な説明】
【技術分野】
【０００１】
この発明は、顧客の足形状に適した足袋または足袋の型紙を自動的に選択する足袋または足袋の型紙の自動選択装置に関する。
【背景技術】
【０００２】
顧客の足に合った足袋を販売員が選択する際には、販売員は、顧客から、足の長さや、それまでにその顧客によって購入された足袋の使用状況を聞いて、足の長さ等の情報を得る。そして、このようにして顧客から得た情報と、見た目の足の形状を参考にして、販売員が顧客の足に合った足袋を選択している。
【０００３】
試着用の足袋も準備されている場合には、顧客に試着用の足袋を試着させ、顧客からきついか、ゆるいかを聞くことで、顧客の足に合った足袋を選択するといったことも行われている。
【０００４】
また、これまで足袋は同一の足長に対しては、並型と細型の２種類のみが用意されており、選択が比較的容易であること、購入者の多くが年配者であり、長年の購入使用で、自分に適した足袋を購入者が把握している場合が多いこと等の理由から、足袋の選択もさほど難しいものではなかった。
【０００５】
昨今、青年層の購買が増えており、今まで購入したことがない状況での購入が増えており、伸縮性がない足袋といった商品の使用への認識不足もあり、購入後に足に合わないことが判明するといったことも発生するようになっている。また、青年層における生活習慣の違い、食生活の変化などから、昔ながらの足袋のタイプだけでは、購入者の満足を満たせない状況になってきている。
【０００６】
顧客の足形状に合った足袋を提供するためには、同一の足長に対する足袋のタイプを増やせばよいが、同一の足長に対する足袋のタイプを増やした場合には、より正確に顧客の足の形状を把握する必要性がある。しかしながら、現状では、足寸法を正確に測って、計測した足寸法から適切な足袋を選択できる販売員は少ないため、顧客の足形状に合った足袋を選択することは困難であった。このため、顧客の足形状に合った足袋を自動的に選択できるシステムが要望されている。
【０００７】
ところで、足袋の利用者は、既製足袋か、オーダー足袋を選んで購入している。オーダー足袋は、高級品を求める一部の限られた顧客に販売されており、価格としても高価なものとなっている。
【０００８】
昨今、白足袋、黒足袋以外の柄物足袋への需要が増えてきている。柄物足袋は、青年層からの需要が多く、足袋の新たな文化を提供することとなっている。とは言っても、柄物足袋の需要は、白足袋や黒足袋の需要に比べると少ないため、白足袋や黒足袋と同様に大量生産することはできない。また、購入者が足袋の生地を指定したいとの要望も寄せられるようになった。
【０００９】
柄物足袋や生地の指定のある足袋については、オーダー足袋として受注するといったことが考えられるが、一般の購入者が購入できる低価格でかつ短期間でオーダー足袋を提供することは困難である。そこで、既製品と同様の製造工程によって、柄物足袋や生地の指定のある足袋を製造することが検討されているが、顧客の形状に合った型紙を選択する適切な方法がなく、所謂パターンオーダーといわれる低価格と製造日程を短縮化したシステムの採用には至っていない。
【特許文献１】特許第３０４５７２４号
【発明の開示】
【発明が解決しようとする課題】
【００１０】
この発明は、顧客の足形状に適した足袋または足袋の型紙を自動的に選択することができる足袋または足袋の型紙の自動選択装置を提供することを目的とする。
【課題を解決するための手段】
【００１１】
請求項１に記載の発明は、顧客の足形状に関する計測データに基づいて、顧客の足形状に適した足袋または足袋の型紙を自動的に選択する、足袋または足袋の型紙の自動選択装置において、足袋の各型紙が、複数種類の要素の組合せによって分類されており、足袋の型紙の分類を識別するための標準データが記憶されている記憶手段、および顧客の足形状に関する計測データと、記憶手段に記憶されている標準データとに基づいて、顧客の足形状に適した足袋または足袋の型紙を特定するための要素を選択する選択手段を備えていることを特徴とする。
【００１２】
請求項２に記載の発明は、請求項１に記載の発明において、足袋の各型紙が、複数種類の基準足長サイズと複数種類の足形状に応じたタイプとの組合せによって分類されており、顧客の足形状に関する計測データが顧客の「足長」、「甲回り」および「張り回り」の計測データであり、足袋の型紙の分類を識別するための標準データが、複数種類の基準足長サイズに対応する足長サイズ識別用標準データと、各足長サイズ識別用標準データ毎に用意されたタイプ識別用標準データとからなり、各足長サイズ識別用標準データ毎に用意されたタイプ識別用標準データは、その足長サイズ識別用標準データに対応する「甲回り」についての各タイプ別の標準データおよびその足長サイズ識別用標準データに対応する「張り回り」についての各タイプ別の標準データからなり、選択手段は、顧客の足形状に関する計測データと、記憶手段に記憶されている標準データとに基づいて、顧客の足形状に適した基準足長サイズとタイプとを選択するものであることを特徴とする。
【００１３】
請求項３に記載の発明は、請求項２に記載の発明において、
選択手段は、
「足長」の計測データと足長サイズ識別用標準データとに基づいて、「足長」の計測データに応じた足長サイズ識別用標準データを選択し、選択した足長サイズ識別用標準データを第１の足長サイズ識別用標準データとする第１手段、
第１の足長サイズ識別用標準データに対応する「甲回り」についての各タイプ別のタイプ識別用標準データと「甲回り」の計測データとに基づいて、「甲回り」の計測データが、上記「甲回り」についての各タイプ別のタイプ識別用標準データの許容範囲のうちの、いずれかの許容範囲に入っていることという第１条件を満たしているか否かを判別するとともに、第１条件を満たしている場合には、「甲回り」の計測データが許容範囲に入っているタイプを特定する第２手段、
第２手段によって第１条件を満たしていると判別された場合には、「甲回り」の計測データが「張り回り」の計測データ以上であるか否かを判別する第３手段、
第３手段によって、「甲回り」の計測データが「張り回り」の計測データ以上であると判別された場合には、第１の足長サイズ識別用標準データに対応する基準足長サイズと、第２手段によって特定されたタイプとを顧客の足形状に適した基準足長サイズおよびタイプとして選択する第４手段、
第３手段によって、「甲回り」の計測データが「張り回り」の計測データより小さいと判別された場合には、第１の足長サイズ識別用標準データに対応する「張り回り」についての各タイプ別のタイプ識別用標準データと「張り回り」の計測データとに基づいて、「張り回り」の計測データが、上記「張り回り」についての各タイプ別のタイプ識別用標準データの許容範囲のうちの、いずれかの許容範囲に入っていることという第２条件を満たしているか否かを判別するとともに、第２条件を満たしている場合には、「張り回り」の計測データが許容範囲に入っているタイプを特定する第５手段、
第５手段によって第２条件を満たしていると判別された場合には、第１の足長サイズ識別用標準データに対応する基準足長サイズと、第５手段によって特定されたタイプとを顧客の足形状に適した基準足長サイズおよびタイプとして選択する第６手段、
第２手段によって第１条件を満たしていないと判別された場合または第５手段によって第２条件を満たしていないと判別された場合には、既に再選択プロセスが行われたか否かを判別する第７手段、
第７手段において既に再選択プロセスが行われていないと判別された場合には、第１の足長サイズ識別用標準データを１段階だけ大きな足長サイズ識別用標準データに更新した後、上記第２手段から上記第７手段までの処理を再度実行させるといった再選択プロセスを実行させる第８手段、ならびに
第８手段において既に再選択プロセスが行われていると判別された場合には、顧客の足形状に適した足袋または足袋の紙型が存在しないと決定する第９手段、
を備えていることを特徴する。
【００１４】
請求項４に記載の発明は、請求項１に記載の発明において、足袋の各型紙が、複数種類の基準足長サイズと複数種類のタイプとの組合せによって分類されており、顧客の足形状に関する計測データが顧客の「足長」、「甲回り」、「張り回り」および「足首回り」の計測データであり、足袋の型紙の分類を識別するための標準データが、複数種類の基準足長サイズに対応する足長サイズ識別用標準データと、各足長サイズ識別用標準データ毎に用意されたタイプ識別用標準データとからなり、各足長サイズ識別用標準データ毎に用意されたタイプ識別用標準データは、その足長サイズ識別用標準データに対応する「甲回り」についての各タイプ別の標準データ、その足長サイズ識別用標準データに対応する「張り回り」についての各タイプ別の標準データおよびその足長サイズ識別用標準データに対応する「足首回り」についての各タイプ別の標準データからなり、選択手段は、顧客の足形状に関する計測データと、記憶手段に記憶されている標準データとに基づいて、顧客の足形状に適した基準足長サイズとタイプとを選択するものであることを特徴とする。
１に記載の足袋または足袋の型紙の自動選択装置。
【００１５】
請求項５に記載の発明は、請求項４に記載の発明において、
選択手段は、
「足長」の計測データと足長サイズ識別用標準データとに基づいて、「足長」の計測データに応じた足長サイズ識別用標準データを選択し、選択した足長サイズ識別用標準データを第１の足長サイズ識別用標準データとする第１手段、
第１の足長サイズ識別用標準データに対応する「甲回り」についての各タイプ別のタイプ識別用標準データと「甲回り」の計測データとに基づいて、「甲回り」の計測データが、上記「甲回り」についての各タイプ別のタイプ識別用標準データの許容範囲のうちの、いずれかの許容範囲に入っていることという第１条件を満たしているか否かを判別するとともに、第１条件を満たしている場合には、「甲回り」の計測データが許容範囲に入っているタイプを特定する第２手段、
第２手段によって第１条件を満たしていると判別された場合には、「甲回り」の計測データが「張り回り」の計測データ以上であるか否かを判別する第３手段、
第３手段によって、「甲回り」の計測データが「張り回り」の計測データ以上であると判別された場合には、第１の足長サイズ識別用標準データと第２手段によって特定されたタイプとに対応する「足首回り」についての各タイプ別のタイプ識別用標準データと、「足首回り」の計測データとに基づいて、「足首回り」の計測データが、上記「足首回り」についての各タイプ別のタイプ識別用標準データの許容範囲のうちの、いずれかの許容範囲に入っていることという第２条件を満たしているか否かを判別する第４手段、
第４手段によって第２条件を満たしていると判別された場合には、第１の足長サイズ識別用標準データに対応する基準足長サイズと、第２手段によって特定されたタイプとを顧客の足形状に適した基準足長サイズおよびタイプとして選択する第５手段、
第３手段によって、「甲回り」の計測データが「張り回り」の計測データより小さいと判別された場合には、第１の足長サイズ識別用標準データに対応する「張り回り」についての各タイプ別のタイプ識別用標準データと「張り回り」の計測データとに基づいて、「張り回り」の計測データが、上記「張り回り」についての各タイプ別のタイプ識別用標準データの許容範囲のうちの、いずれかの許容範囲に入っていることという第３条件を満たしているか否かを判別するとともに、第３条件を満たしている場合には、「張り回り」の計測データが許容範囲に入っているタイプを特定する第６手段、
第６手段によって第３条件を満たしていると判別された場合には、第１の足長サイズ識別用標準データと第６手段によって特定されたタイプとに対応する「足首回り」についての各タイプ別のタイプ識別用標準データと、「足首回り」の計測データとに基づいて、「足首回り」の計測データが、上記「足首回り」についての各タイプ別のタイプ識別用標準データの許容範囲のうちの、いずれかの許容範囲に入っていることという第４条件を満たしているか否かを判別する第７手段、
第７手段によって第４条件を満たしていると判別された場合には、第１の足長サイズ識別用標準データに対応する基準足長サイズと、第７手段によって特定されたタイプとを顧客の足形状に適した基準足長サイズおよびタイプとして選択する第８手段、
第２手段によって第１条件を満たしていないと判別された場合、第４手段によって第２条件を満たしていないと判別された場合、第６手段によって第３条件を満たしていないと判別された場合または第７手段によって第４条件を満たしていないと判別された場合には、既に再選択プロセスが行われたか否かを判別する第９手段、
第９手段において既に再選択プロセスが行われていないと判別された場合には、第１の足長サイズ識別用標準データを１段階だけ大きな足長サイズ識別用標準データに更新した後、上記第２手段から上記第９手段までの処理を再度実行させるといった再選択プロセスを実行させる第１０手段、ならびに
第９手段において既に再選択プロセスが行われていると判別された場合には、顧客の足形状に適した足袋または足袋の紙型が存在しないと決定する第１１手段、
を備えていることを特徴する。
【００１６】
請求項６に記載の発明は、請求項１乃至５に記載の発明において、顧客の足形状に関する計測データが、三次元形状計測装置によって得られることを特徴とする。
【発明の効果】
【００１７】
この発明によれば、顧客の足形状に適した足袋または足袋の型紙を自動的に選択することができるようになる。
【発明を実施するための最良の形態】
【００１８】
以下、図面を参照して、この発明の実施例について説明する。
【実施例１】
【００１９】
図１は、足袋の紙型選択システムの構成を示している。
【００２０】
足袋の紙型選択システムは、顧客の足から必要な寸法を測定するための３次元形状計測装置１１と、３次元形状計測装置１１の測定結果に基づいて足袋の型紙を自動的に選択する足袋型選択装置１２とから構成されている。
【００２１】
なお、３次元形状計測装置１１は、顧客の足の立体形状を計測するためのものであり、既に各種のものが開発されている（特開２０００−３９３１０号公報等）。この実施例では、３次元形状計測装置１１は、顧客の「足長」、「張り回り」、「甲回り」および「足首回り」を測定する。
【００２２】
図２（ａ）は足の側面図を示し、図２（ｂ）は足の底面図を示している。「足長」は、図２（ａ）、（ｂ）にＬで示すように、踵後端から親指の先端までの長さＬである。
【００２３】
「張り回り」は、図２（ｂ）に破線Ｈで示すように、親指のつけ根Ｐ１と小指のつけ根Ｐ２を通る足の周囲の長さである。親指のつけ根の位置Ｐ１は、図２（ｂ）において、踵後端から親指の先端を通る直線Ｓ上における踵の後端から内踏まず長Ｄ１だけ足先側の位置をＰａとすると、Ｐａを通りかつ直線Ｓに垂直な直線と足底の内側の輪郭とが接する位置として特定される。内踏まず長Ｄ１は足長のａ％（ａは予め設定された値であり、例えば、７５％）と設定されている。小指のつけ根の位置Ｐ２は、図２（ｂ）において、踵の後端から外踏まず長Ｄ２だけ足先側の位置をＰｂとすると、Ｐｂを通りかつ直線Ｓに垂直な直線と足底の外側の輪郭とが接する位置として特定される。外踏まず長Ｄ２は足長のｂ％（ｂは予め設定された値であり、例えば、６５％）と設定されている。
【００２４】
「甲回り」は図２（ｂ）に破線Ｋで示すように、甲部分の周囲の長さである。「甲回り」は、図２（ｂ）において、踵後端から親指の先端を通る直線Ｓ上における踵の後端から足長のｃ％（ｃは予め設定された値であり、例えば、５５％）だけ足先側の位置をＰｃとすると、Ｐｃを通りかつ直線Ｓに垂直な直線と足底の内側の輪郭とが接する位置Ｐ３と、Ｐｃを通りかつ直線Ｓに垂直な直線と足底の外側の輪郭とが接する位置Ｐ４とを通る足の周囲の長さである。
【００２５】
「足首回り」は、図２（ｂ）に破線Ａで示すように、足首の周囲の長さであり、踵の底から足長のｄ％（ｄは予め設定された値）だけ上側の位置Ｐ５（図２（ａ）参照）の足首の周囲の長さとして測定される。なお、踵の底から予め設定された所定長だけ上側の位置の足首の周囲の長さを、「足首回り」として測定するようにしてもよい。
【００２６】
足袋型選択装置１２は、例えば、ＰＣ（パーソナルコンピュータ）から構成されている。足袋型選択装置１２は、足袋型選択プログラムに基づいて足袋型選択処理を実行する。      
【００２７】
足袋の型紙は、複数種類の基準足長サイズ毎に、「並型」、「ほっそり型」および「細型」の３種類のタイプが用意されている。基準足長サイズは、０．５ｃｍ刻みで用意されている。つまり、足袋の型紙は、基準足長サイズとタイプとの組合せによって分類されている。
【００２８】
足袋型選択装置１２は、３次元形状計測装置１１によって測定された顧客の「足長」、「張り回り」、「甲回り」および「足首回り」に基づいて、顧客の足形状に適した「基準足長サイズ」と「タイプ」（「並型」、「ほっそり型」および「細型」）とを選択し、選択した「基準足長サイズ」と「タイプ」とが認識できる情報をモニタに表示する。なお、顧客の足形状に適合した型紙が存在しない場合には、顧客の足形状に適合した型紙が存在しないことをモニタに表示する。
【００２９】
足袋型選択装置１２の記憶装置には、足袋の型紙の分類を識別するための標準データが記憶されている。標準データとしては、表１に示すように、各基準足長サイズに対応する足長サイズ識別用標準データ（単位はｃｍ）と、各足長サイズ識別用標準データ毎に用意されたタイプ識別用標準データ（単位はｃｍ）とからなる。各足長サイズ識別用標準データ毎に用意されたタイプ識別用標準データは、その足長サイズ識別用標準データに対応する「張り回り」についての各タイプ別（「並型」、「ほっそり型」および「細型」のタイプ別））の標準データ、その足長サイズ識別用標準データに対応する「甲回り」についての各タイプ別の標準データおよびその足長サイズ識別用標準データに対応する「足首回り」についての各タイプ別の標準データからなる。各標準データは、最大寸法を示すものである。
【００３０】
【表１】
2006178681.tif 000003
【００３１】
表１には、２２．０ｃｍ、２２．５ｃｍおよび２３．０ｃｍの基準足長サイズに関する標準データしか示されていないが、足袋型選択装置１２には、実際は他の基準足長サイズに関する標準データも記憶されている。
【００３２】
標準データの許容範囲について説明する。足長サイズ識別用標準データの許容範囲は、（足長サイズ識別用標準データ−０．５ｃｍ）より大きくかつ足長サイズ識別用標準データ以下の範囲として定義される。
【００３３】
「足首回り」についてのタイプ識別用標準データの許容範囲は、（タイプ識別用標準データ−１．０ｃｍ）より大きくかつタイプ識別用標準データ以下の範囲として定義される。
【００３４】
「張り回り」および「甲回り」についてのタイプ識別用標準データの許容範囲について説明する。「張り回り」および「甲回り」についてのタイプ識別用標準データの許容範囲の定義は同じであるので、ここでは、足長サイズ識別用標準データが２２．５ｃｍに対応する「甲回り」についての「並型」、「ほっそり型」および「細型」のタイプ識別用標準データの許容範囲について説明する。「並型」のタイプ識別用標準データの許容範囲は、「ほっそり型」のタイプ識別用標準データより大きくかつ「並型」のタイプ識別用標準データ以下の範囲として定義される。足長サイズ識別用標準データが２２．５ｃｍに対応する「甲回り」についての「並型」のタイプ識別用標準データの許容範囲は、２２．０ｃｍより大きく２５．５ｃｍ以下の範囲となる。
【００３５】
「ほっそり型」のタイプ識別用標準データの許容範囲は、「細型」のタイプ識別用標準データより大きくかつ「ほっそり型」のタイプ識別用標準データ以下の範囲として定義される。足長サイズ識別用標準データが２２．５ｃｍに対応する「甲回り」についての「ほっそり型」のタイプ識別用標準データの許容範囲は、２１．０ｃｍより大きく２２．０ｃｍ以下の範囲となる。
【００３６】
ある足長サイズ識別用標準データ（注目足長サイズ識別用標準データという）に対応する「細型」のタイプ識別用標準データの許容範囲は、注目足長サイズ識別用標準データより１段階下の足長サイズ識別用標準データに対応する「細型」のタイプ識別用標準データより大きくかつ注目足長サイズ識別用標準データに対応する「細型」のタイプ識別用標準データ以下の範囲として定義される。足長サイズ識別用標準データが２２．５ｃｍに対応する「甲回り」についての「細型」のタイプ識別用標準データの許容範囲は、１９．５ｃｍより大きく２１．０ｃｍ以下の範囲となる。
【００３７】
図３は、足袋型選択装置１２によって実行される足袋型選択処理の手順を示している。      
【００３８】
３次元形状計測装置１１からの計測結果（「足長」、「張り回り」、「甲回り」および「足首回り」）が入力されると（ステップＳ１）、再選択プロセスを既に行ったか否かを記憶するためのフラグＦをリセット（Ｆ＝０）とする（ステップＳ２）。
【００３９】
この後、「足長」の計測データと足長サイズ識別用標準データとに基づいて、「足長」の計測データに応じた足長サイズ識別用標準データを、第１の足長サイズ識別用標準データとして選択する（ステップＳ３）。ステップＳ３では、「足長」の計測データが、いずれの足長サイズ識別用標準データの許容範囲内にあるかに基づいて、「足長」の計測データに応じた足長サイズ識別用標準データを選択する。つまり、｛（足長サイズ識別用標準データ−０．５ｃｍ）＜「足長」の計測データ≦足長サイズ識別用標準データ｝を満たす足長サイズ識別用標準データを、第１の足長サイズ識別用標準データとして選択する。たとえば、「足長」の計測データが２２．５ｃｍであれば、第１の足長サイズ識別用標準データは、２２．５ｃｍとなる。
【００４０】
次に、「甲回り」の計測データが、第１の足長サイズ識別用標準データに対応する「甲回り」についての各タイプ別のタイプ識別用標準データの許容範囲のうちの、いずれかの許容範囲に入っていることという第１条件を満たしているか否かを判別するとともに、第１条件を満たしている場合には、「甲回り」の計測データが許容範囲に入っているタイプを特定する（ステップＳ４）。「甲回り」についてのタイプ識別用標準データの許容範囲は上記定義に従って特定される。例えば、第１の足長サイズ識別用標準データが２２．５ｃｍである場合には、「甲回り」についての「並型」の標準データの許容範囲、「ほっそり型」の標準データの許容範囲および「細型」の標準データの許容範囲は、「２２．０ｃｍより大きくかつ２５．５ｃｍ以下の範囲」、「２１．０ｃｍより大きくかつ２２．０ｃｍ以下の範囲」および「１９．５ｃｍより大きくかつ２１．０ｃｍ以下の範囲」となる。      
【００４１】
上記ステップＳ４において、第１条件を満たしていると判別された場合には（ステップＳ５でＹＥＳ）、「甲回り」の計測データが「張り回り」の計測データ以上であるか否かを判別する（ステップＳ６）。
【００４２】
「甲回り」の計測データが「張り回り」の計測データ以上である場合には、上記ステップＳ４で特定したタイプを、顧客の足形状に適した適合タイプとして仮選択する（ステップＳ７）。つまり、「甲回り」についてのタイプ識別用標準データから求められたタイプを、顧客の足形状に適合したタイプとして仮選択する。そして、ステップＳ１１に進む。      
【００４３】
上記ステップＳ６において、「甲回り」の計測データが「張り回り」の計測データより小さいと判別された場合には、「張り回り」の計測データが、第１の足長サイズ識別用標準データに対応する「張り回り」についての各タイプ別のタイプ識別用標準データの許容範囲のうちの、いずれかの許容範囲に入っていることという第２条件を満たしているか否かを判別するとともに、第２条件を満たしている場合には、「張り回り」の計測データが許容範囲に入っているタイプを特定する（ステップＳ８）。「張り回り」についてのタイプ識別用標準データの許容範囲は上記定義に従って特定される。例えば、第１の足長サイズ識別用標準データが２２．５ｃｍである場合には、「張り回り」についての「並型」の標準データの許容範囲、「ほっそり型」の標準データの許容範囲および「細型」の標準データの許容範囲は、「２２．０ｃｍより大きくかつ２４．０ｃｍ以下の範囲」、「２０．０ｃｍより大きくかつ２２．０ｃｍ以下の範囲」および「１９．０ｃｍより大きくかつ２０．０ｃｍ以下の範囲」となる。
【００４４】
上記ステップＳ８において、第２条件を満たしていると判別された場合には（ステップＳ９でＹＥＳ）、上記ステップＳ８で特定したタイプを、顧客の足形状に適した適合タイプとして仮選択する（ステップＳ１０）。つまり、「張り回り」についてのタイプ識別用標準データから求められたタイプを、顧客の足形状に適合したタイプとして仮選択する。そして、ステップＳ１１に進む。
【００４５】
ステップＳ１１では、第１の足長サイズ識別用標準データに対応する「足首回り」についてのタイプ識別用標準データであって、上記ステップＳ７またはＳ１０で仮選択されたタイプに対応する標準データの許容範囲に、「足首回り」の計測データが入っていることという第３条件を満たしているか否かを判別する。「足首回り」についてのタイプ識別用標準データの許容範囲は上記定義に従って特定される。例えば、第１の足長サイズ識別用標準データが２２．５ｃｍである場合には、「足首回り」についての「並型」の標準データの許容範囲、「ほっそり型」の標準データの許容範囲および「細型」の標準データの許容範囲は、「２２．０ｃｍより大きくかつ２３．０ｃｍ以下の範囲」、「２０．５ｃｍより大きくかつ２１．５ｃｍ以下の範囲」および「１８．０ｃｍより大きくかつ１９．０ｃｍ以下の範囲」となる。
【００４６】
上記ステップＳ１１において、第３条件を満たしていると判別された場合には、
第１の足長サイズ識別用標準データに対応する基準足長サイズと、上記ステップＳ７またはＳ１０で仮選択されたタイプとを、顧客の足形状に適した基準足長サイズおよびタイプとして選択して、モニタに表示する。（ステップＳ１２）。そして、処理を終了する。
【００４７】
上記ステップＳ５において、第１条件を満たしていないと判別された場合、上記ステップＳ９において、第２条件を満たしていないと判別された場合、若しくは上記ステップＳ１１において第３条件を満たしていないと判別された場合には、フラグＦがリセットされているか否かを判別する（ステップＳ１３）。フラグＦがリセットされている場合には、フラグＦをセット（Ｆ＝１）した後（ステップＳ１４）、第１の足長サイズ識別用標準データを１段階大きなサイズの足長サイズ識別用標準データに更新する（ステップＳ１５）。そして、ステップＳ４に戻る。これにより、更新後の第１の足長サイズ識別用標準データを用いて、ステップＳ４〜ステップＳ１３の処理（再選択プロセス）が実行される。
【００４８】
上記ステップＳ１３において、フラグＦがセットされていると判別された場合には、顧客の足形状に適合した型紙は存在しない旨を表示する（ステップＳ１６）。そして、処理を終了する。
【００４９】
上記ステップＳ１３において、フラグＦがリセットされていると判別した場合にのみ、第１の足長サイズ識別用標準データを１段階大きなサイズの足長サイズ識別用標準データに更新して、ステップＳ４に戻るようにしているのは、ステップＳ３で選択された第１の足長サイズ識別用標準データに対して、１段階だけ大きなサイズに第１の足長サイズ識別用標準データを設定することを許容するが、２段階大きなサイズに第１の足長サイズ識別用標準データを設定することを禁止するためである。
【００５０】
以下、具体例について説明する。
【００５１】
（１）具体例１
計測データが、次のような場合について説明する。
「足長」    ：２２．５ｃｍ
「張り回り」：２１．５ｃｍ
「甲回り」  ：２２．０ｃｍ
「足首回り」：２１．０ｃｍ
【００５２】
まず、第１の足長サイズ識別用標準データとして、２２．５ｃｍが選択される。「甲回り」の計測値（２２．０ｃｍ）は、２２．５ｃｍの第１の足長サイズ識別用標準データに対応する「甲回り」の「ほっそり型」の標準データの許容範囲（２１．０ｃｍより大きくかつ２２．０ｃｍ以下の範囲）に入っている。「甲回り」の計測値（２２．０ｃｍ）は、「張り回り」の計測値（２１．５ｃｍ）以上であるので、「ほっそり型」が顧客の足形状に適合したタイプとして仮選択される。２２．５ｃｍの第１の足長サイズ識別用標準データに対応する「足首回り」の標準データであって、「ほっそり型」の標準データの許容範囲は、２０．５ｃｍより大きくかつ２１．５ｃｍ以下の範囲であり、「足首回り」の計測値（２１．０ｃｍ）はその許容範囲に入っている。したがって、この場合には、顧客の足形状に適合した基準足長サイズとして２２．５ｃｍが、顧客の足形状に適合したタイプとして「ほっそり型」が選択されて、表示される。
【００５３】
（２）具体例２
計測データが、次のような場合について説明する。
「足長」    ：２２．５ｃｍ
「張り回り」：２３．０ｃｍ
「甲回り」  ：２２．０ｃｍ
「足首回り」：２２．５ｃｍ
【００５４】
まず、第１の足長サイズ識別用標準データとして、２２．５ｃｍが選択される。「甲回り」の計測値（２２．０ｃｍ）は、２２．５の第１の足長サイズ識別用標準データに対応する「甲回り」の「ほっそり型」の標準データの許容範囲（２１．０ｃｍより大きくかつ２２．０ｃｍ以下の範囲）に入っている。
【００５５】
「甲回り」の計測値（２２．０ｃｍ）は、「張り回り」の計測値（２３．０ｃｍ）よりも小さいので、「張り回り」の計測値（２３．０ｃｍ）が、２２．５ｃｍの第１の足長サイズ識別用標準データに対応する「甲回り」の標準データの許容範囲に入っている否かが判別される。「張り回り」の計測値（２３．０ｃｍ）は、２２．５ｃｍの第１の足長サイズ識別用標準データに対応する「張り回り」の「並型」の標準データの許容範囲（２２．０ｃｍより大きくかつ２４．０ｃｍ以下の範囲）に入っている。したがって、「並型」が顧客の足形状に適合したタイプとして仮選択される。
【００５６】
２２．５ｃｍの第１の足長サイズ識別用標準データに対応する「足首回り」の標準データであって、「並型」の標準データの許容範囲は、２２．０ｃｍより大きくかつ２３．０ｃｍ以下の範囲であり、「足首回り」の計測値（２２．５ｃｍ）はその許容範囲に入っている。したがって、この場合には、顧客の足形状に適合した基準足長サイズとして２２．５ｃｍが、顧客の足形状に適合したタイプとして「並型」が選択されて、表示される。
【００５７】
（３）具体例３
計測データが、次のような場合について説明する。
「足長」    ：２２．５ｃｍ
「張り回り」：２１．５ｃｍ
「甲回り」  ：２２．０ｃｍ
「足首回り」：１９．０ｃｍ
【００５８】
まず、第１の足長サイズ識別用標準データとして、２２．５ｃｍが選択される。「甲回り」の計測値（２２．０ｃｍ）は、２２．５ｃｍの第１の足長サイズ識別用標準データに対応する「甲回り」の「ほっそり型」の標準データの許容範囲（２１．０ｃｍより大きくかつ２２．０ｃｍ以下の範囲）に入っている。「甲回り」の計測値（２２．０ｃｍ）は、「張り回り」の計測値（２１．５ｃｍ）以上であるので、「ほっそり型」が顧客の足形状に適合したタイプとして仮選択される。
【００５９】
２２．５ｃｍの第１の足長サイズ識別用標準データに対応する「足首回り」の標準データであって、「ほっそり型」の標準データの許容範囲は、２０．５ｃｍより大きくかつ２１．５ｃｍ以下の範囲であり、「足首回り」の計測値（１９．０ｃｍ）はその許容範囲に入っていない。したがって、この場合には、第１の足長サイズ識別用標準データが１段階大きいサイズである２３．０ｃｍに設定される。
【００６０】
「甲回り」の計測値（２２．０ｃｍ）は、２３．０ｃｍの第１の足長サイズ識別用標準データに対応する「甲回り」の「細型」の標準データの許容範囲（２１．０ｃｍより大きくかつ２２．０ｃｍ以下の範囲）に入っている。「甲回り」の計測値（２２．０ｃｍ）は、「張り回り」の計測値（２１．５ｃｍ）以上であるので、「細型」が顧客の足形状に適合したタイプとして仮選択される。
【００６１】
２３．０ｃｍの第１の足長サイズ識別用標準データに対応する「足首回り」の標準データであって、「細型」の標準データの許容範囲は、１８．５ｃｍより大きくかつ１９．５ｃｍ以下の範囲であり、「足首回り」の計測値（１９．０ｃｍ）はその許容範囲に入っている。したがって、この場合には、顧客の足形状に適合した基準足長サイズとして２３．０が、顧客の足形状に適合したタイプとして「細型」が選択されて、表示される。
【００６２】
上記実施例では、「足長」、「張り回り」、「甲回り」および「足首回り」の計測結果を用いて型紙を選択しているが、「足長」、「張り回り」および「甲回り」の計測結果を用いて型紙を選択してもよい。この場合には、「足首回り」に対応する標準データは不要である。この場合には、図３のステップＳ１１は省略される。
【００６３】
なお、足袋は紙型に基づいて製造されるので、顧客の足形状に適した足長とタイプ（並型、ほっそり型、細型）とが選択されれば、その選択結果に基づいて、既製の足袋の中から、顧客の足形状に適した足袋も選択できる。つまり、上述した足袋型選択処理は、顧客の足形状に適した足袋の紙型を選択する場合に適用できるだけでなく、顧客の足形状に適した既製の足袋を選択する場合にも適用することができる。
【図面の簡単な説明】
【００６４】
【図１】足袋の紙型選択システムの構成を示すブロック図である。
【図２】「足長」、「張り回り」、「甲回り」および「足首回り」を説明するための模式図である。
【図３】足袋型選択装置１２によって実行される足袋型選択処理の手順を示すフローチャートである。
【符号の説明】
【００６５】
１１  ３次元形状計測装置
１２  足袋型選択装置
【図１】
2006178681.tif 000004
【図２】
2006178681.tif 000005
【図３】
2006178681.tif 000006